(57)【要約】      （修正有）【課題】早期に断線することを抑制することができる静電気除去用のリストストラップを提供する。【解決手段】作業者の手首又は腕に装着されるリストストラップであって、作業者の皮膚に当接する導電部を有するリストバンドと、リストバンドの導電部に一端が接続され、他端が大地に接続されるアース線に接続される配線２と、を備え、配線２が、導電性を有する芯線２Ａと、芯線を覆う芯線用絶縁被覆２Ｂと、芯線用絶縁被覆の外側に配置される導電性を有するシールド線２Ｃと、シールド線を覆うシールド線用絶縁被覆２Ｄと、を有するシールドケーブルである。【選択図】図４
0003215215.tif 000002
【実用新案登録請求の範囲】
【請求項１】
作業者の手首又は腕に装着されるリストバンドであって、該作業者の皮膚に当接する導電部を有するリストバンドと、該リストバンドの導電部に一端が接続され、他端がアース線に接続される配線と、を備えているリストストラップであって、
前記配線が、導電性を有する芯線と、該芯線を覆う芯線用絶縁被覆と、該芯線用絶縁被覆の外側に配置される導電性を有するシールド線と、該シールド線を覆うシールド線用絶縁被覆と、を有するシールドケーブルであることを特徴とするリストストラップ。
【請求項２】
互いに絶縁された２個の前記導電部を備え、前記リストバンド及び前記配線の一端のそれぞれには、両者を電気的に接続するための接続部材を備え、該各接続部材は、所定間隔を置いて配置される互いに絶縁された２個の接続部、又は径方向において内外に位置するように内側接続部と外側接続部の互いに絶縁された２個の接続部を備え、前記リストバンド側の接続部材に備える２個の接続部のうちの一方の接続部に前記２個の導電部のうちの一方の導電部が接続され、かつ、他方の接続部に他方の導電部が接続されるとともに、前記配線側の接続部材に備える２個の接続部のうちの一方の接続部に前記配線の芯線が接続され、他方の接続部に前記配線のシールド線が接続されていることを特徴とする請求項１に記載のリストストラップ。
【請求項３】
前記配線側の接続部材に備える一方の接続部と前記配線の芯線との間及び前記配線側の接続部材に備える他方の接続部と前記配線のシールド線との間のそれぞれに、抵抗器を接続していることを特徴とする請求項２に記載のリストストラップ。
【請求項４】
前記リストバンド及び前記配線の一端のそれぞれには、両者を電気的に接続するための接続部材を備え、該各接続部材は、１個の接続部を備え、前記配線に備える接続部から抵抗器を介して接続される一本の導電線に前記配線の芯線及びシールド線の両方が接続されていることを特徴とする請求項１に記載のリストストラップ。
【請求項５】
前記配線の芯線及びシールド線が、２極プラグの一方の端子及び他方の端子にそれぞれ接続され、前記２極プラグの少なくとも一方の端子を介して前記アース線に接続されていることを特徴とする請求項１〜４のうちのいずれか１項に記載のリストストラップ。
【請求項６】
前記２極プラグを差し込み可能なジャック部を有するワニ口クリップを備えていることを特徴とする請求項５に記載のリストストラップ。
【考案の詳細な説明】
【技術分野】
【０００１】
本考案は、人体に帯電した静電気を手首又は腕に装着されるリストバンドを介して除去するように構成されたリストストラップに関する。
【背景技術】
【０００２】
従来から、半導体デバイス等の製作、組立、検査の他、半導体デバイス等を組み込んだ機器の補修・点検を行うに際し、作業者の身体に蓄積された静電気による半導体デバイスや機器の破壊・損傷・劣化から保護するためにリストストラップが使用されている。
【０００３】
上記リストストラップとしては、作業者の手首に装着されるリストバンドと、該リストバンドに一端が接続される配線と、該配線の他端に接続されるワニ口クリップと、を備えている。したがって、リストバンドを作業者の手首に装着し、ワニ口クリップを大地に接続されるアース線のアース端子に接続することによって、人体に帯電した静電気をリストバンドから配線、ワニ口クリップを介してアース線に流すようにしている。そして、前記配線が、複数本の素線からなる芯線と芯線を覆う被覆部とからなる単線ケーブルから構成されている（例えば、特許文献１参照）。
【先行技術文献】
【特許文献】
【０００４】
【特許文献１】実開平５−５５４６７号公報
【考案の概要】
【考案が解決しようとする課題】
【０００５】
前記リストバンドを装着している作業者は、腕を動かしながら作業を行うようにしているため、リストバンドとワニ口クリップとの間を接続している単線ケーブルに引っ張り力や折り曲げ力が作用する。このため、前記単線ケーブルでは早期に断線してしまい、作業者の身体に蓄積された静電気を大地に放出することができなくなるという不都合があり、早期改善が要望されている。
【０００６】
そこで、本考案は、かかる事情に鑑みてなされたもので、早期に断線することを抑制することができるリストストラップを提供することを課題とする。
【課題を解決するための手段】
【０００７】
本考案に係るリストストラップは、作業者の手首又は腕に装着されるリストバンドであって、該作業者の皮膚に当接する導電部を有するリストバンドと、該リストバンドの導電部に一端が接続され、他端がアース線に接続される配線と、を備えているリストストラップであって、前記配線が、導電性を有する芯線と、該芯線を覆う芯線用絶縁被覆と、該芯線用絶縁被覆の外側に配置される導電性を有するシールド線と、該シールド線を覆うシールド線用絶縁被覆と、を有するシールドケーブルであることを特徴とする。
【０００８】
本考案によれば、配線が、芯線と、芯線の外側に備えた芯線用絶縁被覆と、芯線用絶縁被覆の外側に備えたシールド線と、シールド線の外側に備えたシールド線用絶縁被覆の４層構造のシールドケーブルであるため、芯線と芯線を覆う芯線用絶縁被覆とからなる単線ケーブルに比べて断線強度が大きい。
【０００９】
また、本考案に係るリストストラップは、互いに絶縁された２個の前記導電部を備え、前記リストバンド及び前記配線の一端のそれぞれには、両者を電気的に接続するための接続部材を備え、該各接続部材は、所定間隔を置いて配置される互いに絶縁された２個の接続部、又は径方向において内外に位置するように内側接続部と外側接続部の互いに絶縁された２個の接続部を備え、前記リストバンド側の接続部材に備える２個の接続部のうちの一方の接続部に前記２個の導電部のうちの一方の導電部が接続され、かつ、他方の接続部に他方の導電部が接続されるとともに、前記配線側の接続部材に備える２個の接続部のうちの一方の接続部に前記配線の芯線が接続され、他方の接続部に前記配線のシールド線が接続されていてもよい。
【００１０】
上記のように、配線側の接続部材に備える２個の接続部のうちの一方の接続部に配線の芯線を接続し、他方の接続部に配線のシールド線を接続して配線を２系統にすることによって、芯線−一方の接続部−一方の導電部−人体−他方の導電部−他方の接続部−シールド線の一巡する検知回路（閉回路）を構成することができるので、人体（作業者の手首又は腕）が２個の導電部に接触していないと、検知回路が開放状態になり、人体に対してアースできていないことを検知できる。
【００１１】
また、本考案に係るリストストラップは、前記配線側の接続部材に備える一方の接続部と前記配線の芯線との間及び前記配線側の接続部材に備える他方の接続部と前記配線のシールド線との間のそれぞれに、抵抗器を接続していてもよい。
【００１２】
上記のように、抵抗器を接続することによって、配線の芯線及びシールド線に流れる電流値を下げることができる。
【００１３】
また、本考案に係るリストストラップは、前記リストバンド及び前記配線の一端のそれぞれには、両者を電気的に接続するための接続部材を備え、該各接続部材は、１個の接続部を備え、前記配線に備える接続部から抵抗器を介して接続される一本の導電線に前記配線の芯線及びシールド線の両方が接続されていてもよい。
【００１４】
上記のように、配線に備える１個の接続部から抵抗器を介して接続される一本の導電線に配線の芯線及びシールド線の両方が接続されることによって、配線の芯線及びシールド線を別々の導電線に接続する構成に比べて、簡素な構成にすることができる。
【００１５】
また、本考案に係るリストストラップは、前記配線の芯線及びシールド線が、２極プラグの一方の端子及び他方の端子にそれぞれ接続され、前記２極プラグの少なくとも一方の端子を介して前記アース線に接続されていてもよい。
【００１６】
上記のように、配線の芯線及びシールド線が、２極プラグの一方の端子及び他方の端子にそれぞれ接続され、２極プラグのアース端子を介して少なくとも一方の端子に接続する構成にすることによって、アース線への接続作業が容易になる。
【００１７】
また、本考案に係るリストストラップは、前記２極プラグを差し込み可能なジャック部を有するワニ口クリップを備えていてもよい。
【００１８】
上記のように、２極プラグを差し込み可能なジャック部を有するワニ口クリップを備えることによって、２極プラグをワニ口クリップのジャック部に挿し込んでワニ口クリップをアース端子に挟み込むだけで両者を容易に接続することができる。
【考案の効果】
【００１９】
以上の如く、本考案によれば、配線をシールドケーブルで構成することによって、早期に断線することを抑制することができるリストストラップを提供することができる。
【図面の簡単な説明】
【００２０】
【図１】リストバンドを装着していないリストストラップ（配線）を連続モニターに接続する状態と連続モニターに接続しない状態とを示す説明図である。
【図２】図１における要部の内部構造を示す拡大図である。
【図３】図１のリストストラップ（配線）に接続されるリストバンドを示し、（ａ）は平面図、（ｂ）は側面図である。
【図４】シールド線の構造を示す図である。
【図５】リストバンドを装着していないリストストラップのカールコードタイプの別の実施形態を示す図であり、（ａ）は全体図、（ｂ）は要部の拡大図である。
【図６】（ａ）はリストバンドを装着していないリストストラップ（配線）の他の構成を示す図であり、（ｂ）は（ａ）における要部の内部構造を示す図である。
【図７】図６のリストストラップ（配線）に接続されるリストバンドを示し、（ａ）は平面図、（ｂ）は側面図である。
【考案を実施するための形態】
【００２１】
以下、本考案に係るリストストラップの一実施形態について、図面に基づいて説明する。
【００２２】
リストストラップは、作業者の手首（又は腕のどの部位でもよい）に装着されるリストバンド１（図３（ａ），（ｂ）参照）と、リストバンド１に一端が接続され、他端が大地に接続されるアース線に接続される配線２（図１参照）と、を主要構成部材としている。図３（ａ）にリストバンド１に仮想線で示す配線２が電気的に接続されている状態を示している。
【００２３】
リストバンド１は、図３（ａ），（ｂ）に示すように、伸縮性を有する一枚の布生地を円環状に構成したバンド本体１Ａと、バンド本体１Ａの内面の周方向略全域に縫い込まれた導電性繊維からなる導電部１Ｂと、バンド本体１Ａの外側に取り付けられ配線の内側の導電部１Ｂに接続される1個のリストバンド側接続部材３と、を備えている。リストバンド側接続部材３は、バンド本体１Ａに取り付けられ、各種の合成樹脂で構成される矩形状の本体３Ａと、本体３Ａに備えられ導電部１Ｂに接続される導電性を有する金属材料でなる接続部を構成する雄型の1個のホック部３Ｂと、を備えている。この雄型のホック部３Ｂに配線２に備える後述する接続部を構成する雌型の1個のホック部４Ｂを係合することによって、電気的に接続して作業者に帯電した静電気を導電部１Ｂから雄型のホック部３Ｂ、雌型のホック部４Ｂを介して配線２側に伝達できるようにしている。なお、バンド本体１Ａには、図示していない長さ調整機能を備えていてもよい。
【００２４】
配線２は、図４に示すように、複数本の金属製の芯線２Ａと、芯線２Ａを覆う合成樹脂製の芯線用絶縁被覆２Ｂと、芯線用絶縁被覆２Ｂの外側を覆う金属製のシールド線２Ｃと、シールド線２Ｃの外側を覆う合成樹脂製のシールド線用絶縁被覆２Ｄと、を備えた４層構造のシールドケーブルで構成されている。このようなシールドケーブルでなる配線２を用いることによって、芯線と芯線を覆う芯線用絶縁被覆とからなる単線ケーブルに比べて断線強度が大きい。また、芯線２Ａ及びシールド線２Ｃの両方をアース線（後述するアース線１８）に接続しておけば、一方の線が断線しても、他方の線により作業者の身体に蓄積された静電気を大地に放出することができる。
【００２５】
配線２の一端には、リストバンド１の雄型の円形状のホック部３Ｂに係合する係合解除自在な接続部を構成する雌型の円形状の1個のホック部４Ｂを有する配線側接続部材４を備えている。配線側接続部材４は、配線２の一端に取り付けられ、各種の合成樹脂で構成されるきのこ形状の本体４Ａと、本体４Ａに備えられる導電性を有する金属材料でなる雄型のホック部４Ｂと、を備えている。雄型のホック部４Ｂ及び雌型のホック部３Ｂの外形が円形状に構成されているため、両者４Ｂ，３Ｂを係合した状態において、雄型のホック部４Ｂと雌型のホック部３Ｂとが互いに回転可能に構成されている。したがって、作業者の腕をあらゆる角度に動かした場合に、作業者の腕に追従して雄型のホック部４Ｂが雌型のホック部３Ｂに対して回転できるようになっている。また、図２に示すように、配線側接続部４のホック部４Ｂに接続される導電線５に金属皮膜抵抗器６の一端を接続し、金属皮膜抵抗器６の他端に芯線２Ａ及びシールド線２Ｃの両方を接続している。これにより芯線２Ａ及びシールド線２Ｃに流れる電流値を金属皮膜抵抗器６で下げることができるだけでなく、配線２の芯線２Ａ及びシールド線２Ｃを別々の導電線に接続する構成に比べて、簡素な構成にすることができる。ここでは、配線側接続部材４とリストバンド側接続部材３とを係合及び係合解除自在に構成しているが、配線側接続部材４とリストバンド側接続部材３とを取り外し不能に固定する構成でもよい。
【００２６】
配線２の他端には、２極プラグであるモノラルプラグ７が接続されている。このモノラルプラグ７を、後述する連続モニター１０の挿込部１０Ａに挿し込むことによって、リストストラップを連続モニター１０に接続できるようになっている。また、連続モニター１０に接続しない場合には、二股上の挟み部を有するワニ口クリップ部８に備えるジャック部（図示せず）に挿し込むことにより後述するアース線１８に接続可能になっている。ワニ口クリップ部８は、接地ポイント（アース端子）１９に挟み込んで接続することで作業者の身体に蓄積された静電気を大地に放出することができる。
【００２７】
モノラルプラグ７は、プラグ本体７Ａと、プラグ本体７Ａの基端部から先端側へ突出する金属製で外形が円形のアース端子（一方の端子）７Ｂとアース端子７Ｂの先端に絶縁部７Ｃを介して突出するアース端子８Ｂよりも小さな外径を有する金属製で外形が円形の信号端子（他方の端子）７Ｄと、を備えている。アース端子７Ｂにシールド線２Ｃを接続し、信号端子７Ｄに芯線２Ａを接続しているが、アース端子７Ｂに芯線２Ａを接続し、信号端子７Ｄにシールド線２Ｃを接続してもよい。このように配線２の芯線２Ａ及びシールド線２Ｃが、モノラルプラグ７の信号端子７Ｄ及びアース端子７Ｂにそれぞれ接続され、モノラルプラグ７のアース端子７Ｂを介してアース線１８に接続することによって、アース線１８への配線作業が容易になる。
【００２８】
配線側接続部材４のモノラルプラグ７側端及びモノラルプラグ７の配線側接続部材４側端に配線２の両端部をそれぞれ覆うカバー部９を備えている。これらカバー部９，９は、弾性材料又は各種軟質性合成樹脂等から構成され、配線２の両端に加わる屈曲応力を緩和することができるようにしている。
【００２９】
図１に、リストストラップの使用中に配線２が断線したことを検出するための断線検出装置を構成する箱型の連続モニター１０を備えている。この連続モニター１０は、モノラルプラグ７を挿し込み可能な挿込部１０Ａを備えている。この挿込部１０Ａにモノラルプラグ７を挿し込むことにより、モノラルプラグ７のアース端子７Ｂ及び信号端子７Ｄが連続モニター１０の内部に備えている配線芯線側の第１導電線１１及び配線側の第２導電線１２にそれぞれ接続される。第１導電線１１には、判定回路１３及び表示回路１４並びにＤＣ電源安定化回路１５が接続されている。ＤＣ電源安定化回路１５は、交流電源に接続される電源プラグ１６からの交流電圧を直流の１２Ｖに変換するためのＡＣ／ＤＣアダプタ１７に接続されている。また、第２導電線１２は、ＤＣ電源安定化回路１５のマイナス極側に接続されるとともに大地に接地するアース線１８に接続されている。
【００３０】
判定回路１３は、判定回路１３に流れる電流値又は判定回路１３の両端に加わる電圧値を測定し、その測定した電流値又は測定した電圧値を予め設定されている目標電流値又は目標電圧値と比較し、測定した電流値又は測定した電圧値が予め設定されている目標電流値（上限値と下限値とで挟まれる許容範囲で設定される電流値）又は目標電圧値（上限値と下限値とで挟まれる許容範囲で設定される電圧値）よりも低い場合に、芯線２Ａ又はシールド線２Ｃのうちの少なくとも一方の線が断線していると判定し、表示回路１４を駆動して連続モニター１０のケーシングに備えている又は他の場所に備えている表示部（図示せず）に表示させて作業者に断線していることを報知するようにしている。表示部は、メッセージ等の文字を表示する構成やＬＥＤ（発光ダイオード）からなる表示灯を点灯する構成等であってもよい。また、表示部に加えて音声を発生させる音声発生部を備えてもよい。
【００３１】
実際には、リストストラップのモノラルプラグ７を連続モニター１０の挿込部１０Ａに挿し込んでいる状態では、第１導電線１１、判定回路１３、ＤＣ電源安定化回路１５、第２導電線１２、シールド線２Ｃ、芯線２Ａにより閉回路が形成され、シールド線２Ｃ及び芯線２Ａの少なくとも一方の断線によって閉回路が開放される。これによって、前記のように判定回路１３が芯線２Ａ又はシールド線２Ｃのうちの少なくとも一方の線が断線していると判定する。
【００３２】
また、図１には、リストストラップのモノラルプラグ７を連続モニター１０に接続しないで、アース線１８に接続する場合を示している。この場合、前述したように、モノラルプラグ７を挿し込むことができるジャック部を備えるワニ口クリップ部８を備え、モノラルプラグ７を挿し込んだワニ口クリップ部８を接地ポイント（アース端子）１９に挟み込むだけで両者を容易に接続することができ、人体（作業者）に帯電した静電気をアース線１８を介して大地に放出することができる。
【００３３】
尚、本考案は、前記実施形態に限定されるものではなく、本考案の要旨を逸脱しない範囲で種々の変更が可能である。
【００３４】
前記実施形態では、配線２にストレートコードタイプを用いたが、図５（ａ）に示すように、巻き癖が付けられたカールコードタイプの配線２であってもよい。また、１個の配線側接続部材４を、図５（ｂ）に示すように、構成してもよい。この配線側接続部材４は、円環状（図では円環状であるが、矩形環状であってもよい）の内側接続部４Ｃと、内側接続部４Ｃの外側に配置される円環状（図では円環状であるが、矩形環状であってもよい）の外側接続部４Ｄとを有する内外２重構造に構成されている。これら内側接続部４Ｃ及び外側接続部４Ｄに係合して電気的に接続される内側接続部及び外側接続部を有するリストバンド側接続部（図示せず）も同様に構成される。図５（ｂ）では、内側接続部４Ｃに金属皮膜抵抗器２０を介してシールド線２Ｃを接続し、外側接続部４Ｄに金属皮膜抵抗器２０を介して芯線２Ａを接続している。なお、説明しなかった部分は図１と同一であり、同一符号を付している。
【００３５】
また、前記実施形態では、１個のホック部３Ｂを備えたリストバンド側接続部材３を設けたが、図７（ａ），（ｂ）に示すように、リストバンド１の周方向に互いに絶縁した状態で並べた２個の雄型で金属製のホック部（接続部）３Ｂ，３Ｂを本体３Ａに備えるリストバンド側接続部材３を設けてもよい。これら２個の雄型の金属製のホック部（接続部）３Ｂ，３Ｂに係合及び係合解除自在に構成され、互いに絶縁された状態の２個の雌型で金属製のホック部（接続部）４Ｂ，４Ｂを備える本体４Ａに配線側接続部材４を設けている（図６（ａ），（ｂ）参照）。一方のホック部４Ｂに接続される第３導電線２２に金属皮膜抵抗器２１を介してシールド線２Ｃを接続し、他方のホック部４Ｂに接続される第４導電線２３に金属皮膜抵抗器２１を介して芯線２Ａを接続している。また、前記リストバンド１の内面の略半周に、一方のホック部（接続部）３Ｂに接続される第１導電部１Ｃを備え、リストバンド１の内面の残る略半周に、他方のホック部（接続部）３Ｂに接続される第２導電部１Ｄを第１導電部１Ｃと絶縁した状態で備えている。このように、配線側接続部材４に備える２個の接続部４Ｂ，４Ｂのうちの一方の接続部４Ｂに配線２の芯線２Ａを接続し、他方の接続部４Ｂに配線２のシールド線２Ｃを接続して配線２を２系統にすることによって、芯線２Ａ−一方の接続部４Ｂ，３Ｂ−一方の第１導電部１Ｃ−人体−他方の第２導電部１Ｄ−他方の接続部３Ｂ，４Ｂ−シールド線２Ｃの一巡する検知回路（閉回路）を構成することができるので、人体（作業者の手首又は腕）が２個の導電部１Ｃ，１Ｄに接触していないと、検知回路が開放状態になり、人体に対してアースできていないことを検知できる。なお、説明しなかった部分は図１と同一であり、同一符号を付している。第１導電部１Ｃ及び第２導電部１Ｄは、導電性繊維から構成されている。
【００３６】
また、前記実施形態では、リストバンド１を輪状のもので構成したが、円弧状のもので構成してもよい。
【００３７】
また、前記実施形態では、リストバンド１の内側に導電部１Ｂを備えていたが、リストバンド１自体を導電材料で構成することもできる。
【符号の説明】
【００３８】
１…リストバンド、１Ａ…バンド本体、１Ｂ，１Ｃ，１Ｄ…導電部、２…配線（シールドケーブル）、２Ａ…芯線、２Ｂ…芯線用絶縁被覆、２Ｃ…シールド線、２Ｄ…シールド線用絶縁被覆、３…リストバンド側接続部材、３Ａ…本体、３Ｂ…ホック部（接続部）、４…配線側接続部材、４Ａ…本体、４Ｂ…ホック部（接続部）、４Ｃ…内側接続部、４Ｄ…外側接続部、５…導電線、６…金属皮膜抵抗器、７…モノラルプラグ、７Ａ…プラグ本体、７Ｂ…アース端子、７Ｃ…絶縁部、７Ｄ…信号端子、８…ワニ口クリップ部、９…カバー部、１０…連続モニター、１０Ａ…挿込部、１１…導電線、１２…導電線、１３…判定回路、１４…表示回路、１５…ＤＣ電源安定化回路、１６…電源プラグ、１７…ＡＣ／ＤＣアダプタ、１８…アース線、２０，２１…金属皮膜抵抗器
【図１】
0003215215.tif 000003
【図２】
0003215215.tif 000004
【図３】
0003215215.tif 000005
【図４】
0003215215.tif 000006
【図５】
0003215215.tif 000007
【図６】
0003215215.tif 000008
【図７】
0003215215.tif 000009